(57)【特許請求の範囲】
【請求項１】
点光源と、
前記点光源に対向する光導入部が形成された側面と、該光導入部から導入された光を外部に出射させる複数の反射部が形成された表面または裏面と、を含む平板状の導光板と、
前記導光板の裏面の側に設置された反射体と、を備え、
前記複数の反射部のそれぞれは、前記光導入部が位置する方向に対して略直交する方向を長軸とする形状、または前記光導入部を中心とする円弧状に形成された凹部であり、
前記複数の反射部は、前記光導入部の中心から距離ｒm （ｍは正の整数）の同心円弧上に配列され、
前記光導入部を中心とする中心角θn の複数の領域Ｒn （ｎは正の整数）に前記導光板を分割したときに、前記距離ｒm の円弧上の領域Ｒn に前記反射部が存在すると、
前記距離ｒmの円弧上の領域Ｒnの前記反射部に隣接する前記距離ｒmの円弧上の前記反射部は、前記距離ｒmの円弧上の領域Ｒnの前記反射部と互いに離間し、
前記距離ｒmの円弧上の領域Ｒnの前記反射部と前記距離ｒmの円弧上の領域Ｒn の前記反射部に隣接する前記距離ｒmの円弧上の前記反射部との間に、前記距離ｒmの円弧に隣接する距離ｒm+1、ｒm-1の隣接円弧上の前記領域Ｒnに隣接する隣接領域Ｒn+1またはＲn-1の前記反射部が対応して配置され、
前記距離ｒmの円弧上の前記領域Ｒn に存在する反射部と、前記隣接円弧上の前記隣接領域に存在する反射部は、前記点光源から該反射部を見込んだときに互いに重畳していることを特徴とする照明装置。
【請求項２】
前記複数の反射部のそれぞれの長軸は、前記光導入部の中心からの距離ｒm により定まる基準長Ｌ（Ｌ＝ｒmｓｉｎθn）に対して０．８倍〜１．２倍の範囲の中で設定されている
ことを特徴とする請求項１に記載の照明装置。
【請求項３】
前記領域の中心角は、前記光導入部が設置された導光板下辺に対して垂直な方向の領域よりも、前記導光板下辺に対して水平な方向の領域のほうが大きいことを特徴とする請求項１または２に記載の照明装置。
【請求項４】
前記反射部は、前記表面又は前記裏面に形成された凹部からなり、
前記円周方向に直交する面での前記反射部の断面が、略直角三角形の形状であり、前記光導入部に近いほうの側に位置する面と前記表面又は前記裏面との角度が４０°〜５０°の範囲であることを特徴とする請求項１〜３のいずれか１項に記載の照明装置。
【請求項５】
前記光導入部が、前記側面に形成された略半円形状の窪みであることを特徴とする請求項１〜４のいずれか１項に記載の照明装置。
【請求項６】
前記反射部は、前記表面又は前記裏面に対して傾斜する反射面を有し、前記表面又は前記裏面の単位面積当たりの前記反射面の総面積は、前記反射部と前記光導入部との間の距離が増加するにつれて増加することを特徴とする請求項１〜５のいずれか１項に記載の照明装置。
【請求項７】
前記請求項１〜６のいずれか一項に記載された構成の照明装置と、前記照明装置の照射面側に配置された液晶パネルを備えることを特徴とする液晶表示装置。
【発明の詳細な説明】
【技術分野】
【０００１】
本発明は、発光面が平面型の照明装置及びこれを用いた液晶表示装置に関する。
【背景技術】
【０００２】
ノート型パーソナルコンピュータ、携帯電話、ＰＤＡ、電子辞書等の携帯機器等には液晶表示装置が広く利用されている。液晶表示装置に用いられる液晶パネルは自発光型ではないために、液晶パネルの背面に平面型の照明装置を組み込む必要がある。携帯機器用の照明装置は薄型化が求められるとともに、日中に屋外でも表示が視認できるように、高い輝度も求められる。また、表示される画像に明るさのむらがでないように、均一な発光が望まれる。そこで、サイドライト型の照明装置が検討されてきている。サイドライト型の照明装置は、光源を発光面の側面に設置できることから、全体の厚さを薄く形成することができる（特許文献１、特許文献２を参照）。
【０００３】
図１２は、この種の従来公知の照明装置５０の模式的な縦断面図であり、図１３は、照明装置５０の模式的な上面図である。照明装置５０は、光源５３と、導光板５１と、反射板５４を備えている。光源５３は導光板５１の側面に配置され、光源５３の光が導光板５１内に導入される。導光板５１の裏面には、例えばＶ字状の溝からなる複数の反射部５２が形成されている。導光板５１の表面と裏面との間に閉じ込められた光は、反射部５２のＶ字状溝の傾斜面で反射される。すなわち、傾斜面が反射面として機能している。Ｖ字状溝の傾斜面を適宜設定することにより、導光板５１に閉じ込められた光を、導光板５１の表面から取り出すことができる。また、反射板５４は、導光板５１の裏面から漏れ出した光を再び導光板５１に向けて反射させ、導光板５１の上面から取り出す照明光の強度低下を防いでいる。
【０００４】
図１３に示すように、多数の反射部５２が光源５３を中心とする円弧上に配置されている。反射部５２のＶ字状溝は、上面から見て長方形の形状を有し、この長方形の長手方向は光源５３の方向に対して略直角方向となるように形成されている。反射部５２をこのように配置することにより、Ｖ字状溝の反射面から反射した反射光は、導光板５１の表面の垂直方向に集中させることができる。反射光を垂直方向に向けることにより、例えば液晶表示装置に適用した場合に明るい表示を得ることができる。
【特許文献１】特開平１１−２５０７１４号公報
【特許文献２】特開平１１−２３２９１８号公報
【発明の開示】
【発明が解決しようとする課題】
【０００５】
図１４は、導光板５１の部分断面図である。導光板５１の裏面にＶ字溝からなる反射部５２が形成されている。光源５３から入射した入射光５７ｂは、入射光５７ｂに対して手前側に位置する反射部５２ａにより上方向へ反射される。しかし、図１３に示した反射部５２の配置では、入射光５７ｂに対して、反射部５２ａの後方に位置する反射部５２ｂは反射部５２ａの影になってしまう。そのために、導光板５１の表面から出射される照明光に輝度むらが生じて、均一な照明光の強度を得ることができない、という課題があった。
【課題を解決するための手段】
【０００６】
本発明においては、上記の課題を解決するために以下の構成とした。
【０００７】
（１）光源と、表面及び裏面を有する平板状の導光板と、前記導光板の裏面の側に設置された反射体とを備える照明装置において、前記導光板は、前記光源の光を内部に導入する光導入部と、前記導入した光を外部に出射させる前記表面又は前記裏面に形成した複数の反射部を備え、前記複数の反射部は、前記光導入部を中心とする円周方向と前記円周方向に直交する径方向において千鳥状に配列するようにした。
【０００８】
（２）上記（１）の照明装置において、前記反射部は、前記光導入部が位置する方向に対して略直交する方向を長軸とする形状を有し、前記径方向において隣接する反射部は、当該径方向に対して互いに重畳する部分を有するようにした。
【０００９】
（３）上記（１）の照明装置において、前記反射部は、前記光導入部が位置する方向に対して略直交する方向を長軸とする形状を有し、前記光導入部から所定の距離に位置する反射部の長軸は、前記距離により定まる基準長に対して０．８倍〜１．２倍の範囲の中でランダムに設定されるようにした。
【００１０】
（４）上記（１）〜（３）のいずれか１の照明装置において、前記反射部は、前記表面又は前記裏面に形成された凹部からなり、前記光導入部を中心とする円弧状に又は前記光導入部が位置する方向に対して略直交する方向を長軸とする矩形状に形成されるようにした。
【００１１】
（５）上記（４）の照明装置において、前記凹部からなる反射部は、前記円周方向に直交する平面により切り出した断面が、前記表面又は前記裏面が作る平面を底辺とする略直角三角形又は略二等辺三角形の形状を有しており、前記光導入部に近いほうの側に位置する面と前記底辺との角度が３０°〜６０°の範囲であるようにした。
【００１２】
（６）上記（１）〜（５）のいずれか１の照明装置において、前記反射部は、前記表面又は前記裏面に対して傾斜する反射面を有し、前記反射部の反射面の面積は、前記反射部と前記光導入部との間の距離が増加するにつれて大きくなるようにした。
【００１３】
（７）上記（１）〜（６）のいずれか１の照明装置において、前記反射部は、前記表面又は前記裏面に対して傾斜する反射面を有し、前記表面又は前記裏面の単位面積当たりの前記反射面の総面積は、前記反射部と前記光導入部との間の距離が増加するにつれて増加するようにした。
【００１４】
（８）上記（６）又は（７）の照明装置において、前記反射部は、前記表面又は前記裏面に形成された凹部からなり、前記表面又は前記裏面が作る平面からの深さが、前記距離が増加するにつれて深くなるようにした。
【００１５】
（９）上記（６）〜（８）のいずれか１の照明装置において、前記反射部は、前記表面又は前記裏面に形成された凹部からなり、前記反射面の円周方向の長さは、前記距離が増加するにつれて長くなるようにした。
【００１６】
（１０）上記（１）〜（９）のいずれか１の照明装置において、前記反射部は、前記光導入部を中心にして前記径方向に周期的に形成されており、前記反射部の前記径方向のピッチは、前記反射部と前記光導入部との間の距離が増加するにつれて狭くなるようにした。
【００１７】
（１１）上記（１）〜（１０）のいずれか１の照明装置において、前記光導入部は、前記導光板の前記光源に対応する側面が略半円形状の窪みであるようにした。
【００１８】
（１２）上記（１）〜（１１）のいずれか１の照明装置の前記表面の側に液晶パネルを配置した液晶表示装置とした。
【発明の効果】
【００１９】
光源と、導光板と、反射体からなる照明装置であり、導光板は、光源の光を内部に導入する光導入部と、導入した光を外部に出射させるための複数の反射部を備え、当該反射部を、光導入部を中心とする円周方向とその円周方向に直行する径方向において千鳥状に配列した。これにより、反射部の反射面に広く入射光を照射させることが可能となり、導光板の表面から輝度むらの少ない均一な照明光を出射できるようにした。
【発明を実施するための最良の形態】
【００２０】
以下、本発明について、図面を用いて具体的に説明する。
【００２１】
（実施例１）図１は、本実施例に係る照明装置１を説明するための模式図である。図１（ａ）は照明装置１の断面図であり、図１（ｂ）は反射部５の斜視図であり、図１（ｃ）は照明装置１の導光板２の上面図である。同一の部分又は同一の機能を有する部分には同一の符号を付している。
【００２２】
図１（ａ）に示すように、導光板２は表面と裏面を有する平板状の形状を有し、その裏面の側に反射体３が設置され、その側面に光源４が設置されている。光源４から出射した光は、光源４に対応して導光板２に設けられた光導入部９から導入される。光導入部９は狭い領域からなるので、導光板２内において導入した光は光導入部９を中心として放射するように広がる。
【００２３】
反射部５は導光板２の裏面に形成した凹部から成り、その側面が反射面６を構成する。図１（ｂ）において、凹部の断面は略二等辺三角形を有し、光導入部９が位置する側に近いほうの傾斜面が反射面６として機能する。反射面６と導光板２の裏面とが交差する交線１０は光導入部９が位置する方向に対して略直交するように配置されている。各反射部５は、平面視略長方形のほぼ等しい形状を有しており、交線１０が長方形の長軸をなしている。
【００２４】
複数の反射部５は、光導入部９を中心とする円周方向に千鳥状に配列している。また、光導入部９を中心とする円周方向と直交する径方向においても千鳥状に配列している。図１（ｃ）を用いて具体的に説明する。特に円弧ｒ１〜ｒ３及び径方向の線ｄ１〜ｄ５の領域に注目して説明する。その他の領域も同様の構成である。円弧ｒ１、ｒ２、ｒ３は、光導入部９を中心とする同心円の一部である。円弧ｒ１上には、互いに離間して反射部５ｒ１１、５ｒ１２、５ｒ１３が配置されている。円弧ｒ２上には、互いに離間して反射部５ｒ２１、５ｒ２２、５ｒ２３が配置されている。円弧ｒ３上には、互いに離間して反射部５ｒ３１、５ｒ３２、５ｒ３３が配置されている。そして、円弧ｒ１上の反射部５ｒ１１と反射部５ｒ１２の間に隣接する円弧ｒ２の反射部５ｒ２１が対応して配置され、円弧ｒ１上の反射部５ｒ１２と反射部５ｒ１３の間に隣接する円弧ｒ２上の反射部５ｒ２２が対応して配置されている。同様に、円弧ｒ２上の反射部５ｒ２１と反射部５ｒ２２の間に、隣接する円弧ｒ３の反射部５ｒ３２が対応して配置され、円弧ｒ２上の反射部５ｒ２２と反射部５ｒ２３の間に、隣接する円弧ｒ３の反射部５ｒ３３が対応して配置されている。即ち、隣接する円弧の円周方向に対して反射部５は千鳥状に配列している。
【００２５】
同様に、円周方向に直行する径方向においても、例えば、径方向の線ｄ１上には円弧ｒ１の反射部５ｒ１１と円弧ｒ３の反射部５ｒ３１が配置され、線ｄ１に隣接する径方向の線ｄ２上には円弧ｒ２の反射部５ｒ２１が配置され、線ｄ２に隣接する径方向の線ｄ３上には、円弧ｒ１上の反射部５ｒ１２と円弧ｒ３上の反射部５ｒ３２が配置され、線ｄ３に隣接する径方向の線ｄ４上には、円弧ｒ２上の反射部５ｒ２２が配置され、更に、線ｄ４に隣接する径方向の線ｄ５上には、円弧ｒ１上の反射部５ｒ１３と円弧ｒ３上の反射部５ｒ３３が配置されている。即ち、反射部５は径方向においても千鳥状に配置されている。
【００２６】
このように反射部５を配置することにより、光導入部９から導光板２の内部に導入された光が、例えば径方向の線ｄ３についていえば、円弧ｒ１の反射部５ｒ１２に照射され、次に、円弧ｒ２上の径方向の線ｄ２には反射部が配置されておらず、次の円弧ｒ３の反射部５ｒ３２に照射される。従って、反射部５ｒ３２は、反射部５ｒ１２の陰になり難い。即ち、反射部５の反射面６に光が当たらない面積を減らすことができ、広い面積で光を反射させることができる。その結果、導光板２の表面から出射される輝度が上昇するとともに、輝度分布の制御性が向上し、均一な照明光を設計することが容易となる。
【００２７】
また、反射部５は必ずしも同心円の円弧上に配置する必要はなく、円周方向に千鳥状に配置していればよい。同様に、径方向の線ｄ１等に各反射部５の中心が揃っている必要はなく、径方向に対しても千鳥状に配置していればよい。
【００２８】
（実施例２）図２は、本発明の実施例２に係る照明装置１の平面図である。同一の部分又は同一の機能を有する部分には同一の符号を付している。
【００２９】
導光板２の裏面には多数の反射部５が形成されている。導光板２の下辺中央部には光源４が設置され、光源４の対応する部分が光導入部９を構成する。反射部５は、導光板２の裏面に形成した凹部からなり、光導入部９側の凹部の傾斜面が反射面６を構成する。複数の反射部５は、光導入部９を中心として、円周方向及び径方向に千鳥状に配列している。反射部５は、平面視略長方形の形状を有し、長方形の長軸は光導入部９が位置する方向に対して略直交する。
【００３０】
光導入部９を中心として、光の放射方向を導光板２の平面内において小角θ１、・・・、θｎ−１、θｎ、θｎ＋１・・・により分割されている。例えば小角θｎにより区画さる領域Ｒｎは、光導入部９から放射状に延びる線ｄｎとｄｎ＋１を境界として領域Ｒｎ−１と領域Ｒｎ＋１に接している。この領域Ｒｎに含まれる反射部５の長軸Ｌは、光導入部９から距離ｒにおいて、概ねｒｓｉｎθを有する。この長さを反射部５の基準長とする。従って、反射部５の長軸Ｌは、光導入部９からの距離ｒが大きくなるにつれて長くなる。即ち、距離ｒが大きくなるに従い、反射部５の反射面６の面積が大きくなる。これにより、導光板２の表面から出射される照明光の輝度分布を均一にしている。
【００３１】
なお、各小角θ１、・・・、θｎ−１、θｎ、θｎ＋１、・・・は、等しく設定してもよいし、異なるように設定してもよい。例えば、光導入部９が設置された下辺に対する垂直方向では小角θｎを相対的に小さく、垂直方向から傾くにつれて小角θを次第に大きくして、導光板２の表面から出射される照明光の輝度分布を均一化してもよい。
【００３２】
（実施例３）図３は、本発明の実施例３に係る照明装置１の模式的な平面図である。同一の部分又は同一の機能を有する部分には同一の符号を付している。
【００３３】
導光板２の裏面には多数の反射部５が形成されている。導光板２の下辺中央部には光源４が設置され、光源４の対応する部分が光導入部９を構成し、光源４の光を導光板２の内部に導入する。反射部５は、導光板２の裏面に形成した凹部からなり、光導入部９側の凹部の傾斜面が反射面６を構成する。複数の反射部５は、光導入部９を中心として、円周方向及び径方向に千鳥状に形成されている。反射部５は、平面視略長方形の形状を有し、長方形の長軸は光導入部９が位置する方向に対して略直交する。
【００３４】
光導入部９を中心として、円周方向は小角θ１、・・・、θｎ−１、θｎ、θｎ＋１、・・・で分割されている。例えば、小角θｎにより区画される領域をＲｎとした場合に、この領域Ｒｎに含まれ、光導入部９からの距離がｒに位置する反射部５の長軸Ｌ’は、基準長Ｌ（＝ｒｓｉｎθ）よりも大きい。更に、各反射部５は、領域Ｒｎを区画する光導入部９から放射状に伸びる線ｄｎ及び線ｄｎ＋１からはみ出す。言い換えると、反射部５は光導入部９を中心とする径方向において、隣接する他の反射部５と互いに重畳する部分を有している。
【００３５】
光導入部９を中心とする径方向において、隣接する反射部が互いに重畳しない場合は、例えば径方向の線ｄｎや線ｄｎ＋１には反射面が形成されないので、照明光が消失した暗線となって見えることがある。しかし、上記のように径方向において反射部５が重なることにより、このような暗線が現れることを防止することができる。なお、本実施例３の場合にも、小角θは光導入部９を中心として等分割である必要はない。例えば、光導入部９が設置された下辺に対する垂直方向に対しては小角θを相対的に小さく、垂直方向から傾くにつれて小角θを次第に大きくして、導光板２の表面から出射される照明光の輝度分布を均一化してもよい。
【００３６】
（実施例４）図４は、本発明の実施例４に係る照明装置１の模式的な平面図である。同一の部分又は同一の機能を有する部分には同一の符号を付している。
【００３７】
導光板２の裏面には多数の反射部５が形成されている。導光板２の下辺中央部には光源４が設置され、光源４の対応する部分が光導入部９を構成し、光源４の光を導光板２の内部に導入する。反射部５は、導光板２の裏面に形成した凹部からなり、光導入部９側の凹部の傾斜面が反射面６を構成する。複数の反射部５は、光導入部９を中心として、円周方向及び径方向に千鳥状に形成されている。反射部５は、平面視略長方形の形状を有し、長方形の長軸は光導入部９が位置する方向に対して略直交する。
【００３８】
光導入部９を中心として、円周方向は小角θ１、・・・、θｎ−１、θｎ、θｎ＋１、・・・で分割されている。例えば、小角θｎにより区画される領域をＲｎとした場合に、この領域Ｒｎに含まれ、光導入部９からの距離がｒに位置する反射部５の長軸Ｌ’’は、基準長Ｌ（＝ｒｓｉｎθ）に対して０．８倍〜１．２倍の範囲内にランダムに設定されている。従って、各反射部５は、領域Ｒｎを区画する光導入部９から放射状に伸びる線ｄｎと線ｄｎ＋１からはみ出す場合と、領域Ｒｎ内に収まる場合とが存在する。反射部５の長軸をこのように設定することにより、境界線であるＲｎやＲｎ＋１の部分が暗くなったり明るくなったりすることを防止することができる。
【００３９】
（実施例５）図５は、本発明の実施例５に係る照明装置１を構成する導光板２の模式的な部分断面図であり、特に、反射部５の交線１０に対して直交する平面により切断した反射部５の断面形状を表している。図５（ａ）は、断面形状が略直角三角形を有する場合であり、図５（ｂ）は、断面形状が略二等辺三角形を有する場合である。同一の部分又は同一の機能を有する部分には同一の符号を付している。
【００４０】
図５（ａ）において、導光板２の裏面に形成する凹部からなる反射部５は、光導入部９に近い方に反射面６が形成され、光導入部９から遠いほうは裏面に対して垂直な面から構成されている。導光板２の裏面をなす平面と反射面６とが交差する交線１０は、光導入部９が位置する方向に対して略直角の角度を備えている。光導入部９から導入された光１１は反射面６により反射して導光板２の表面から出射される。光導入部９から遠い方は垂直な面から構成されているので、反射体３から反射される反射光を遮る面積を低減し、照明光の輝度を向上させることができる。導光板２の裏面と反射面６がなす角度φを、３０°〜６０°に設定する。これにより、例えば照明装置１を液晶表示装置に適用したときに、照明光の利用効率を向上させることができる。また、角度φは、好ましくは４０°〜５０°の範囲に設定する。
【００４１】
図５（ｂ）において、導光板２の裏面に形成する凹部からなる反射部５は、その断面形状が略二等辺三角形である。二等辺三角形の光導入部９に近い方の傾斜面が反射面６を構成し、遠い方の傾斜面が反射面６’を構成する。導光板２の裏面をなす平面と反射面６とが交差する交線１０は、光導入部９が位置する方向に対して略直角の角度を有している。光導入部９から導入された光１１は反射面６において反射して導光板２の表面から出射される。導光板２の裏面と反射面６がなす角度φを、３０°〜６０°に設定する。また、角度φは、好ましくは４０°〜５０°の範囲に設定する。なお、反射部５は導光板２の表面に形成してもよい。
【００４２】
（実施例６）図６は、本発明の実施例６に係る照明装置１を説明する模式図である。図６（ａ）は導光板２の裏面に形成する反射部５の模式的な斜視図であり、図６（ｂ）は光源４と導光板２の模式的な斜視図である。同一の部分又は同一の機能を有する部分には同一の符号を付している。
【００４３】
図６（ａ）において、導光板２の裏面には凹部からなる反射部５が形成されている。反射部５の側面には反射面６が形成され、光導入部９から進んでくる光１１を表面方向へ反射する。反射部５は、導光板２の裏面と反射面６とが交差する交線１０が光導入部９の位置する方向に対して略直角となるように配置されている。
【００４４】
図６（ｂ）において、導光板２は、その一辺の中央部に光導入部９を備えている。光導入部９は、対応して設置された光源４の光を導光板２の内部に導入する。ここで、光導入部９から反射部５までの距離をｒとすると、反射部５を、距離ｒが増加するに従い反射面６の面積が増加するように、又は、導光板２の表面又は裏面の単位面積当たりに占める反射面６の総面積が大きくなるように形成する。これにより、光導入部９から導入された光が、光導入部９から遠くなるに従って弱くなることを補正する。その結果、導光板２の表面から輝度の均一な照明光を出射させることができる。
【００４５】
図７及び図８を用いて具体的に説明する。図７及び図８は、本発明の照明装置１を構成する導光板２の模式的な断面図である。同一の部分又は同一の機能を有する部分には同一の符号を付している。
【００４６】
図７において、導光板２の裏面には反射部５が形成されている。導光板２の左端部には光源４が設置され、光導入部９から光源４の光を導入する。反射部５は断面が二等辺三角形を有する凹部から構成される。光導入部９の側の傾斜面が反射面６を構成し、その反射面６の深さをｈとすると、反射部５が光導入部９から遠くなるに従って反射面６の深さｈを深くして、反射面６の面積を増大させる。即ち、光導入部９に近い方の反射面６の深さｈ１は、遠い方の反射面６の深さｈ２よりも浅くする。これにより、光導入部９から遠くなるに従って導光板２内に導入した光が弱くなり、導光板２の表面から出射される照明光の輝度が低下することを補償して、均一な照明光を得ることができる。また、反射面６の深さｈを同一にし、光導入部９から遠くなる従って、反射部５の紙面に対して垂直方向の長さ、即ち反射面６と裏面とが交差する交線１０の長さを長くしてもよい。なお、光導入部９から遠くなるにつれて反射面６の深さｈを深くする、或いは交線１０の長さを長くすることは、導光板２の表面又は裏面の単位面積当たりの数が等しい場合には、当該単位面積に占める反射面６の総面積を増加させることに当たる。
【００４７】
図８において、導光板２の裏面には反射部５が形成されている。導光板２の左端部には光源４が設置され、光導入部９から光源４の光を導入する。反射部５は図７と同様に断面が二等辺三角形を有する凹部から構成されている。反射部５は、光導入部９から遠くなるにつれて、隣接する反射部５との間のピッチｐが小さくなる。即ち、光導入部９に近い方の反射部５のピッチｐ１は、遠い方の反射部５のピッチｐ２よりも大きい。各反射部５に形成した反射面６の面積が同一であるとすれば、導光板２の裏面の単位面積当たりに占める反射面６の総面積は、光導入部９から遠くなるに従って、大きくなる。また、反射部５のピッチｐを同一に形成した場合に、光導入部９から遠くなるに従って、紙面に対して垂直方向の反射部５のピッチを狭くなるようにしてもよい。なお、導光板２の表面に反射部５を形成した場合も上記と同様である。
【００４８】
（実施例７）図９は、本発明の実施例７に係る照明装置１の導光板２の模式的な上面図である。同一の部分又は同一の機能を有する部分には同一の符号を付した。
【００４９】
図示するように、光源４に対応して形成された光導入部９を中心として、多数の凹部、例えば略直角三角形又は略二等辺三角形からなる反射部５、が形成されている。各反射部５は、円周方向とこれに直交する径方向に千鳥状に配置されている。各反射部５の反射面６と裏面が交差してなす交線１０の形状は、光導入部９を中心とする円弧状である。これにより、反射面６の交線１０はどの部分においても光導入部９の方向に対して直交するので、反射部５を大きく形成しても、反射光の方向を揃えることができる。なお、反射部５は、必ずしも光導入部９を中心とする円周上に位置する必要はなく、要は、円周方向とこれに直交する方向において千鳥状に配置されていればよい。また、各反射部５の長軸、即ち交線１０の長さは、径方向において隣接する反射部５と互いに重畳するように配置することができる。また、光導入部９から所定の距離に位置する反射部５の長軸を、その距離ｒにより定まる基準長Ｌに対して０．８倍〜１．２倍の範囲でランダムに設定することができる。なお、基準長Ｌは上記実施例２において既に説明したとおりである。
【００５０】
（実施例８）図１０は、本実施例に係る照明装置１の光導入部９を説明する模式図である。図１０（ａ）は、導光板２の光導入部９を表す部分上面図である。図１０（ｂ）は、導光板２の光導入部９の他の例を表す部分上面図である。同一の部分又は同一の機能を有する部分には同一の符号を付している。
【００５１】
図１０（ａ）において、導光板２の端面には略半円状の凹部からなる光導入部９が形成されている。この半円部の略中心の位置に、また導光板２の板厚の略中心に発光源又は発光面が位置するように光源４を設置する。略半円状の凹部の直径は、光源４の発光源又は発光面よりも大きく形成する。光源４として、例えばＬＥＤを使用する。光源４から出射される光は、略半円状の凹部からなる光導入部９の端面にほぼ垂直に入射する。即ち、導光板２に光が入射する際の屈折による影響が少ないので、光導入部９を設けた辺の左右の隅部にも光を拡散させることができる。
【００５２】
図１０（ｂ）において、導光板２の端面に鋸歯状の凹部を形成し、これを光導入部９とした。光源４から照射される光はこの鋸状の光導入部９により散乱されるようにして導光板２の内部に導入される。そのために、光導入部９を設けた辺の左右隅部にも光を拡散させることができる。
【００５３】
なお、上述の各実施例において、光源４としてＬＥＤを使用することができる。導光板２は、アクリル（ＰＭＭＡ）、ポリカーボネート（ＰＣ）、シクロオレフィンポリマー（ＣＯＰ）等の透光性プラスチック材料やガラスを使用することができる。導光板２の裏面に形成する反射部５は、図１（ａ）に示したように、Ｖ字状溝の他に半円形状或いはＵ字状や半円形状の溝であってもよい。また、反射部５は導光板２の裏面の他に表面に形成してもよいし、導光板２の表面及び裏面の両面に形成してもよい。要は、導光板２の表面に対して垂直方向に光を反射できる反射構造を備えていればよい。反射体３は、板状の反射板であっても、フィルム状の反射シートであってもよい。また、反射体３として、導光板２の裏面にＡｇやＡｌの金属膜を堆積させた反射膜であってもよい。
【００５４】
図１１は、本発明の実施例に係る液晶表示装置２０の模式的な断面図である。同一の部分又は同一の機能を有する部分には同一の符号を付している。
【００５５】
図示するように、液晶表示装置２０は液晶表示パネル１５と照明装置１を備えている。液晶表示パネル１５は、２枚のガラス基板がシール材により間隙を設けて貼り合わされ、その間隙に液晶層（図示しない）を構成した液晶パネル１７と、その外面に貼り付けられた上偏光板１６と下偏光板１８を備えている。液晶表示パネル１５の下部には照明装置１が設置され、液晶表示パネル１５の背面から照明光を照射する。照明装置１は、導光板２と、その側面に設置した光源４と、その背面に設置した反射体３を備えており、既に説明した実施例１〜実施例８の構造を備えている。照明装置１と液晶表示パネル１５との間には、光拡散板１９が設置されている。また、必要に応じて、拡散板１９と液晶表示パネル１５との間にプリズムシートを挿入してもよい。
【００５６】
以上説明した各実施例において、導光板２の厚さ及び光源４の厚さを０．３ｍｍ〜１ｍｍとすることができるので、照明装置１としても同様の厚さを有する薄板状とすることができる。反射部５は、凹部の深さを１μｍ〜５μｍ、間隔を１０μｍ〜５０μｍとすることができる。即ち、照明装置１の厚さを０．３ｍｍ〜１ｍｍと薄く形成できるので、液晶表示装置２０の全体の厚さを極めて薄く構成することが可能となる。
【図面の簡単な説明】
【００５７】
【図１】本発明の実施例に係る照明装置を説明するための説明図である。
【図２】本発明の実施例に係る照明装置を構成する導光板の模式的な平面図である。
【図３】本発明の実施例に係る照明装置を構成する導光板の模式的な平面図である。
【図４】本発明の実施例に係る照明装置を構成する導光板の模式的な平面図である。
【図５】本発明の実施例に係る照明装置を構成する導光板の説明図である。
【図６】本発明の実施例に係る照明装置を構成する導光板の模式的な斜視図である。
【図７】本発明の実施例に係る照明装置を構成する導光板の模式的な断面図である。
【図８】本発明の実施例に係る照明装置を構成する導光板の模式的な断面図である。
【図９】本発明の実施例に係る照明装置を構成する導光板の模式的な部分上面図である。
【図１０】本発明の実施例に係る照明装置を構成する導光板の模式的な部分上面図である。
【図１１】本発明の実施例に係る液晶表示装置の模式的な断面図である。
【図１２】従来公知の照明装置の模式的な断面図である。
【図１３】従来公知の照明装置の模式的な上面図である。
【図１４】従来公知の照明装置の模式的な部分断面図である。
【符号の説明】
【００５８】
１  照明装置
２  導光板
３  反射体
４  光源
５  反射部
６  反射面
９  光導入部
１０  交線
【図１】
0005096941.tif 000002
【図２】
0005096941.tif 000003
【図３】
0005096941.tif 000004
【図４】
0005096941.tif 000005
【図５】
0005096941.tif 000006
【図６】
0005096941.tif 000007
【図７】
0005096941.tif 000008
【図８】
0005096941.tif 000009
【図９】
0005096941.tif 000010
【図１０】
0005096941.tif 000011
【図１１】
0005096941.tif 000012
【図１２】
0005096941.tif 000013
【図１３】
0005096941.tif 000014
【図１４】
0005096941.tif 000015